(57)【要約】【課題】ユーザが画像送信装置で送信条件の設定操作中であっても、ユーザは使い勝手のよい外部装置を用いて送信条件の設定操作を行うことができ、操作性の向上と、操作時間の短縮を図ることができる画像送信装置、情報処理装置、画像増進方法、画像送信プログラムを提供する。【解決手段】画像送信装置１００は、送信条件の設定操作中にユーザに送信宛先の設定操作を要求し、ユーザは、画像送信装置１００の操作表示部、外部装置であるユーザ端末４００、画像送信装置２００、２１０などから送信宛先の設定操作を行う装置を選択する。ユーザは、画像送信装置１００の操作表示部よりも大きいキーボードであって、かつユーザの使い慣れた操作部を備えた装置を選択することができるので、送信宛先の設定操作を容易に行うことができる。【選択図】図１
2013005341.tif 000002
【特許請求の範囲】
【請求項１】
送信条件の設定操作を受ける操作部と、
ネットワークを介して接続された外部装置と通信するネットワーク通信部と、
前記操作部で送信条件の設定操作をユーザから受け付け中に、少なくとも文字入力する項目の設定操作は、前記外部装置からも受け付け可能とする制御部と、
設定された送信条件に基づいて、画像データを送信する送信部と、
を有する
ことを特徴とする画像送信装置。
【請求項２】
前記制御部は、
前記操作部で送信条件の設定操作をユーザから受け付け中に、文字入力する項目の設定操作を前記操作部から行うか外部装置から行うかの選択をユーザから受け付け、前記操作部から行う旨の選択を受けた場合は前記文字入力する項目に対する設定操作は該操作部から受け付け、外部装置から行う旨の選択を受けた場合は少なくとも前記文字入力する項目に対する設定操作は外部装置から受け付ける
ことを特徴とする請求項１に記載の画像送信装置。
【請求項３】
前記文字入力する項目は、送信宛先である
ことを特徴とする請求項１または２に記載の画像送信装置。
【請求項４】
前記制御部は、
前記操作部で前記送信条件の設定操作を受け付け中に前記文字入力する項目の設定操作を受け付け可能な場面において、前記文字入力する項目の設定操作を前記操作部から行うか外部装置から行うかの選択をユーザから受け付ける
ことを特徴とする請求項１乃至３のいずれか１項に記載の画像送信装置。
【請求項５】
前記制御部は、
前記ネットワークを介して接続されている外部装置の操作部のサイズと自装置の操作部のサイズとを比較して、自装置より大きいサイズの操作部を有する外部装置を前記文字入力する項目に対する設定操作を受け付ける外部装置の候補としてユーザに通知し、該候補の中から少なくとも前記文字入力する項目に対する設定操作の受け付けに使用する外部装置の指定をユーザから受ける
ことを特徴とする請求項１乃至４のいずれか1項に記載の画像送信装置。
【請求項６】
原稿を光学的に読み取って画像データを取得する読取部と、
記憶部と、
を備え、
前記制御部は、
少なくとも前記文字入力する項目の設定操作を外部装置から受け付ける場合には、自装置の操作部での送信条件の設定操作の終了を検出した段階で、前記読取部にセットされている原稿の読み取りを行わせ、該読み取りで得た画像データと、前記設定操作の終了が検出される前に自装置の操作部で設定操作を受けて設定された送信条件とを関連付けて前記記憶部に保存する
ことを特徴とする請求項１乃至５のいずれか1項に記載の画像送信装置。
【請求項７】
前記制御部は、
少なくとも前記文字入力する項目の設定操作を外部装置から受け付ける場合には、自装置の操作部で設定操作を受けて設定された第１送信条件と、該第１送信条件に関連付けて前記記憶部に保存されている画像データと、前記外部装置で設定操作を受けて設定された第２送信条件とを結合させて送信ジョブを生成する
ことを特徴とする請求項６に記載の画像送信装置。
【請求項８】
前記制御部は、
前記記憶部に保存した画像データのサムネイル画像を生成し、前記文字入力する項目を含んだ設定操作が行われる外部装置へ該サムネイル画像を送信する
ことを特徴とする請求項６または７に記載の画像送信装置。
【請求項９】
前記制御部は、
前記文字入力する項目を含んだ設定操作を外部装置から受け付ける場合は、自装置の操作部での設定操作が終了した段階で未設定の項目を前記外部装置に通知し、該未設定の項目に対する設定操作を該外部装置から受け付ける
ことを特徴とする請求項１乃至８のいずれか１項に記載の画像送信装置。
【請求項１０】
前記外部装置は、
自装置とネットワークを介して接続された情報処理装置であり、前記情報処理装置は、前記操作表示部を操作しているユーザの情報処理装置である
ことを特徴とする請求項１乃至９のいずれか１項に記載の画像送信装置。
【請求項１１】
請求項９に記載の画像送信装置から前記未設定の項目が通知され、該未設定の項目に対する設定操作の画面を表示部に表示する
ことを特徴とする情報処理装置。
【請求項１２】
送信条件の設定操作を操作部で受けるステップと、
ネットワークを介して接続された外部装置とネットワーク通信部で通信するステップと、
前記操作部で送信条件の設定操作をユーザから受け付け中に、少なくとも文字入力する項目の設定操作は、前記外部装置からも受け付け可能な設定操作ステップと、
設定された送信条件に基づいて、画像データを送信部で送信するステップと、
を含む
ことを特徴とする画像送信方法。
【請求項１３】
前記設定操作ステップでは、
前記操作部で送信条件の設定操作をユーザから受け付け中に、文字入力する項目の設定操作を前記操作部から行うか外部装置から行うかの選択をユーザから受け付け、前記操作部から行う旨の選択を受けた場合は前記文字入力する項目に対する設定操作は該操作部から受け付け、外部装置から行う旨の選択を受けた場合は少なくとも前記文字入力する項目に対する設定操作は外部装置から受け付ける
ことを特徴とする請求項１２に記載の画像送信方法。
【請求項１４】
コンピュータに、
送信条件の設定操作を操作部で受ける機能と、
ネットワークを介して接続された外部装置とネットワーク通信部で通信する機能と、
前記操作部で送信条件の設定操作をユーザから受け付け中に、少なくとも文字入力する項目の設定操作は、前記外部装置からも受け付け可能な設定操作機能と、
設定された送信条件に基づいて、画像データを送信部で送信する機能と、
を実行させるための画像送信プログラム。
【請求項１５】
前記コンピュータを、
前記設定操作機能では、
前記操作部で送信条件の設定操作をユーザから受け付け中に、文字入力する項目の設定操作を前記操作部から行うか外部装置から行うかの選択をユーザから受け付け、前記操作部から行う旨の選択を受けた場合は前記文字入力する項目に対する設定操作は該操作部から受け付け、外部装置から行う旨の選択を受けた場合は少なくとも前記文字入力する項目に対する設定操作は外部装置から受け付けるように動作させる
ことを特徴とする請求項１２に記載の画像送信プログラム。
【発明の詳細な説明】
【技術分野】
【０００１】
本発明は、画像送信装置、情報処理装置、画像送信方法および画像送信プログラムに係り、特に、外部装置から送信される宛先設定を受け付けて、その宛先設定に従って画像データを送信する画像送信装置、情報処理装置、画像送信方法および画像送信プログラムに関する。
【背景技術】
【０００２】
画像データを読み取り、その画像データを送信することができる画像処理装置や画像送信装置（これらをＭＦＰ（Multifunction Peripheral）ともいう。）が一般に知られている。このようなＭＦＰでは、該ＭＦＰを使用する際に、画像データを読み取る読取設定やその画像データの送信宛先を示す宛先設定について、文字入力が要求されることがある。
【０００３】
通常、ＭＦＰの操作パネルは、操作パネルの設置されるスペースなどの制限から、普通の情報処理装置のキーボードなどと比べてサイズが小さく、文字入力をする場合の使い勝手があまり良くなかった。
【０００４】
そのため、自装置の操作パネルから宛先入力を行う場合には、比較的文字入力の時間を要していた。そこで、原稿の読み取り中に宛先設定を実施することで、宛先設定に要する時間の節約を図る技術が開示されている（たとえば、特許文献１参照）。
【０００５】
一方、ＭＦＰの操作パネルを使用しないで文字入力を行う技術が提案されている。たとえば、予め画像送信装置に送信宛先を登録しておき、その登録された送信宛先に画像データを送信することができる画像送信装置が知られている。この画像送信装置は、送信宛先が予め登録されていない場合でも、情報処理装置から宛先情報を画像送信装置に事前に送信しておくことで、その宛先情報が示す外部装置に画像データを送信することができる（たとえば、特許文献２参照）。
【０００６】
この特許文献２に開示された画像送信装置では、使い勝手の良くない画像送信装置の操作パネルを使用することなく、外部の情報処理装置から画像データの送信先である宛先設定を行うことができる。
【先行技術文献】
【特許文献】
【０００７】
【特許文献１】特開２００６−６０３２３号公報
【特許文献２】特開２００７−１７４０６９号公報
【発明の概要】
【発明が解決しようとする課題】
【０００８】
特許文献１に記載された画像処理装置では、文字入力を行う際、使い勝手の良い情報処理装置のキーボードを使用することができない。特許文献２に記載された画像送信装置では、情報送信装置から宛先情報を事前に受信しておくことで、その宛先情報を送信宛先として画像データを送信することができる。
【０００９】
しかしながら、たとえば、ユーザが情報処理装置から画像送信装置へ事前に宛先情報を送信せずに画像送信装置に出向いていき、画像送信装置で送信条件の設定操作を開始したが、その設定中に宛先情報が画像送信装置に登録されていないことにユーザが気付く場合がある。この場合、事前に宛先情報の受信を必須とする特許文献２では、ユーザは、画像送信装置の操作パネルから宛先情報であるアドレス情報を文字入力しなければならなかった。
【００１０】
本発明は、上記の問題を解決しようとするものであり、ユーザが画像送信装置で送信条件の設定操作中であっても、ユーザは使い勝手のよい外部装置を用いて送信条件の設定操作を行うことができ、操作性の向上と、操作時間の短縮を図ることができる画像送信装置、情報処理装置、画像送信方法および画像送信プログラムを提供することを目的としている。
【課題を解決するための手段】
【００１１】
かかる目的を達成するための本発明の要旨とするところは、次の各項の発明に存する。
【００１２】
［１］送信条件の設定操作を受ける操作部と、
ネットワークを介して接続された外部装置と通信するネットワーク通信部と、
前記操作部で送信条件の設定操作をユーザから受け付け中に、少なくとも文字入力する項目の設定操作は、前記外部装置からも受け付け可能とする制御部と、
設定された送信条件に基づいて、画像データを送信する送信部と、
を有する
ことを特徴とする画像送信装置。
【００１３】
上記発明では、画像送信装置は、文字入力する項目の設定操作を、自装置の操作部または外部装置の操作部のどちらでも受け付けることができる。この文字入力する項目の設定操作を行う操作部は、たとえば、ユーザに選択されてもよく、また一義的に特定される所定の外部装置の操作部から操作を受け付けるようにしてもよい。
【００１４】
［２］前記制御部は、
前記操作部で送信条件の設定操作をユーザから受け付け中に、文字入力する項目の設定操作を前記操作部から行うか外部装置から行うかの選択をユーザから受け付け、前記操作部から行う旨の選択を受けた場合は前記文字入力する項目に対する設定操作は該操作部から受け付け、外部装置から行う旨の選択を受けた場合は少なくとも前記文字入力する項目に対する設定操作は外部装置から受け付ける
ことを特徴とする［１］に記載の画像送信装置。
【００１５】
上記発明では、制御部は、送信条件の設定操作をユーザから受け付けている最中であっても、文字入力する項目の設定操作を操作部から行うか外部装置から行うかの選択を受け付ける。たとえば、ユーザは、自装置に設けられた操作部、ユーザが通常使用するユーザ端末の操作部もしくは他の画像送信装置の操作部などから、文字入力する項目の設定操作を行う操作部（装置）を選択する。制御部は、選択された装置の操作部から送信条件の設定操作を受け付ける。これにより、ユーザは、ユーザにとって使い勝手がよく操作性の高い操作部を有する装置を選択することができる。
【００１６】
［３］前記文字入力する項目は、送信宛先である
ことを特徴とする［１］または［２］に記載の画像送信装置。
【００１７】
上記発明では、文字入力する項目は、画像データを送信する送信宛先である。また、送信宛先は、メールアドレスやＩＰ（Internet Protocol）アドレスなどのアドレス情報が該当する。
【００１８】
［４］前記制御部は、
前記操作部で前記送信条件の設定操作を受け付け中に前記文字入力する項目の設定操作を受け付け可能な場面において、前記文字入力する項目の設定操作を前記操作部から行うか外部装置から行うかの選択をユーザから受け付ける
ことを特徴とする［１］乃至［３］のいずれか１項に記載の画像送信装置。
【００１９】
上記発明では、文字入力する項目の設定操作を行う装置を選択するタイミングは、操作部で送信条件の設定操作を受け付け中に文字入力する項目の設定操作をユーザから受け付け可能な場面になったときである。この受け付け可能な場面とは、たとえば、文字入力する画面が表示されたときや文字入力を受け付けたときである。
【００２０】
［５］前記制御部は、
前記ネットワークを介して接続されている外部装置の操作部のサイズと自装置の操作部のサイズとを比較して、自装置より大きいサイズの操作部を有する外部装置を前記文字入力する項目に対する設定操作を受け付ける外部装置の候補としてユーザに通知し、該候補の中から少なくとも前記文字入力する項目に対する設定操作の受け付けに使用する外部装置の指定をユーザから受ける
ことを特徴とする［１］乃至［４］のいずれか1項に記載の画像送信装置。
【００２１】
上記発明では、制御部は、外部装置の操作部のサイズと自装置の操作部のサイズを比較する。制御部は、自装置より大きい操作部を有する外部装置を抽出し、その抽出された外部装置を文字入力する項目に対する設定操作を行わせる外部装置の候補とする。ここで、操作部のサイズは、たとえば、ソフトウエアキーボードを使用するときは操作表示部の画面サイズで判断し、ハードウエアキーボードを使用するときはキーボードのサイズ（たとえば、スタンダードサイズやコンパクトサイズ）で判断する。なお、ハードウエアキーボードを使用する際の該装置の表示部の画面サイズも判断材料の１つとして含めるようにしてもよい。
【００２２】
［６］原稿を光学的に読み取って画像データを取得する読取部と、
記憶部と、
を備え、
前記制御部は、
少なくとも前記文字入力する項目の設定操作を外部装置から受け付ける場合には、自装置の操作部での送信条件の設定操作の終了を検出した段階で、前記読取部にセットされている原稿の読み取りを行わせ、該読み取りで得た画像データと、前記設定操作の終了が検出される前に自装置の操作部で設定操作を受けて設定された送信条件とを関連付けて前記記憶部に保存する
ことを特徴とする［１］乃至［５］のいずれか1項に記載の画像送信装置。
【００２３】
上記発明では、制御部は、送信条件の設定操作の終了を検出した段階で読取部に原稿の読み取りを行わせ、その読み取った画像データと、自装置の操作部で設定操作を受け付けて設定された送信条件とを関連付けて記憶部に保存する。
【００２４】
［７］前記制御部は、
少なくとも前記文字入力する項目の設定操作を外部装置から受け付ける場合には、自装置の操作部で設定操作を受けて設定された第１送信条件と、該第１送信条件に関連付けて前記記憶部に保存されている画像データと、前記外部装置で設定操作を受けて設定された第２送信条件とを結合させて送信ジョブを生成する
ことを特徴とする［６］に記載の画像送信装置。
【００２５】
上記発明では、制御部は、自装置の操作部で設定された第１送信条件と、その第１送信条件と関連付けて保存されている画像データと、外部装置で設定された第２送信条件とを結合させて送信ジョブを生成する。
【００２６】
［８］前記制御部は、
前記記憶部に保存した画像データのサムネイル画像を生成し、前記文字入力する項目を含んだ設定操作が行われる外部装置へ該サムネイル画像を送信する
ことを特徴とする［６］または［７］に記載の画像送信装置。
【００２７】
上記発明では、制御部は、記憶部に保存した画像データのサムネイル画像を生成し、文字入力する項目を含んだ設定操作が行われる外部装置に該サムネイル画像を送信する。ユーザは、その外部装置において受信したサムネイル画像を確認しながら文字入力する項目の設定操作を行い、サムネイル画像に対応する画像データの送信条件の設定操作を該外部装置で行う。
【００２８】
［９］前記制御部は、
前記文字入力する項目を含んだ設定操作を外部装置から受け付ける場合は、自装置の操作部での設定操作が終了した段階で未設定の項目を前記外部装置に通知し、該未設定の項目に対する設定操作を該外部装置から受け付ける
ことを特徴とする［１］乃至［８］のいずれか１項に記載の画像送信装置。
【００２９】
上記発明では、制御部は、文字入力する項目を含んだ設定操作を外部装置から受け付ける場合、自装置の操作部で未設定の項目を該外部装置に通知し、該未設定の項目に対する設定操作を該外部装置から受け付ける。
【００３０】
［１０］前記外部装置は、
自装置とネットワークを介して接続された情報処理装置であり、前記情報処理装置は、前記操作表示部を操作しているユーザの情報処理装置である
ことを特徴とする［１］乃至［９］のいずれか１項に記載の画像送信装置。
【００３１】
上記発明では、外部装置は、ネットワークを介して接続されたユーザの情報処理装置である。
【００３２】
［１１］［９］に記載の画像送信装置から前記未設定の項目が通知され、該未設定の項目に対する設定操作の画面を表示部に表示する
ことを特徴とする情報処理装置。
【００３３】
上記発明では、情報処理装置は、画像送信装置から通知された未設定の項目に対する設定操作の画面を表示部に表示する。
【００３４】
［１２］送信条件の設定操作を操作部で受けるステップと、
ネットワークを介して接続された外部装置とネットワーク通信部で通信するステップと、
前記操作部で送信条件の設定操作をユーザから受け付け中に、少なくとも文字入力する項目の設定操作は、前記外部装置からも受け付け可能な設定操作ステップと、
設定された送信条件に基づいて、画像データを送信部で送信するステップと、
を含む
ことを特徴とする画像送信方法。
【００３５】
上記発明は、［１］に対応する画像送信方法の発明である。
【００３６】
［１３］前記設定操作ステップでは、
前記操作部で送信条件の設定操作をユーザから受け付け中に、文字入力する項目の設定操作を前記操作部から行うか外部装置から行うかの選択をユーザから受け付け、前記操作部から行う旨の選択を受けた場合は前記文字入力する項目に対する設定操作は該操作部から受け付け、外部装置から行う旨の選択を受けた場合は少なくとも前記文字入力する項目に対する設定操作は外部装置から受け付ける
ことを特徴とする［１２］に記載の画像送信方法。
【００３７】
上記発明は、［２］に対応する画像送信方法の発明である。
【００３８】
［１４］コンピュータに、
送信条件の設定操作を操作部で受ける機能と、
ネットワークを介して接続された外部装置とネットワーク通信部で通信する機能と、
前記操作部で送信条件の設定操作をユーザから受け付け中に、少なくとも文字入力する項目の設定操作は、前記外部装置からも受け付け可能な設定操作機能と、
設定された送信条件に基づいて、画像データを送信部で送信する機能と、
を実行させるための画像送信プログラム。
【００３９】
上記発明は、［１］に対応する画像送信プログラムの発明である。
【００４０】
［１５］前記コンピュータを、
前記設定操作機能では、
前記操作部で送信条件の設定操作をユーザから受け付け中に、文字入力する項目の設定操作を前記操作部から行うか外部装置から行うかの選択をユーザから受け付け、前記操作部から行う旨の選択を受けた場合は前記文字入力する項目に対する設定操作は該操作部から受け付け、外部装置から行う旨の選択を受けた場合は少なくとも前記文字入力する項目に対する設定操作は外部装置から受け付けるように動作させる
ことを特徴とする画像送信プログラム。
【００４１】
上記発明は、［２］に対応する画像送信プログラムの発明である。
【発明の効果】
【００４２】
本発明の画像送信装置、情報処理装置、画像送信方法および画像送信プログラムによれば、ユーザが画像送信装置で送信条件の設定操作中であっても、ユーザは使い勝手のよい外部装置を用いて送信条件の設定操作を行うことができ、操作性の向上と、操作時間の短縮を図ることができる。
【図面の簡単な説明】
【００４３】
【図１】本発明の実施の形態に係る画像送信装置が接続されたネットワークシステムの一例を示した概略構成図である。
【図２】画像送信装置の概略構成を示したブロック図である。
【図３】不揮発メモリに格納されている管理テーブルを示した説明図である。
【図４】不揮発メモリに格納されている管理サーバ情報を示した説明図である。
【図５】管理サーバに登録されている外部装置情報を示した説明図である。
【図６】原稿を読み取って画像データを送信する画像送信装置の動作を示した流れ図である。
【図７】送信宛先を設定する外部装置を選択する動作を示した流れ図である。
【図８】図７の結合子Ｃの続きを示す流れ図である。
【図９】図７の結合子Ｂの続きを示す流れ図である。
【図１０】ユーザー端末のプリンタドライバを使用して、画像送信装置に送信宛先を入力する場合の流れ図である。
【図１１】不揮発メモリのアドレス帳に送信宛先が登録されていない場合に、送信宛先を直接入力する場合の表示画面である。
【図１２】送信宛先を外部装置で入力するか、画像送信装置の操作表示部で入力するかをユーザに確認する場合の表示画面である。
【図１３】プリンタドライバ設定情報に送信宛先を事前に登録する場合の表示画面である。
【図１４】抽出された外部装置の一覧から１つの外部装置を選択する選択画面である。
【図１５】ステップＳ１２８において、画像送信装置の操作表示部にサムネイル画像が表示された状態を示す表示画面である。
【図１６】ステップＳ１２８において、ユーザー端末の表示部にサムネイル画像が表示された状態を示す表示画面である。
【図１７】ユーザー端末の表示部に表示された送信宛先を、画像送信装置に登録するか否かをユーザに確認する際の表示画面である。
【図１８】画像送信装置がプリンタドライバ設定情報から受信した送信宛先（宛先情報）を、画像送信装置に登録するか否かを確認する表示画面である。
【図１９】画像送信装置とユーザー端末との処理の流れを示す第１の実施例のシーケンス図である。
【図２０】画像送信装置とユーザー端末との処理の流れを示す第２の実施例のシーケンス図である。
【発明を実施するための形態】
【００４４】
以下、図面に基づき本発明の実施の形態を説明する。
【００４５】
＜ネットワークシステム５の全体構成＞
図１は、本発明の実施の形態に係る画像送信装置１００が接続されたネットワークシステム５の一例を示している。ネットワークシステム５は、画像送信装置１００と、画像送信装置２００、２１０と、管理サーバ３００と、ユーザー端末４００と、リモートＵＩ（User Interface）端末５００とをＬＡＮ（Local Area Network）６００や公衆電話網などのネットワークを通じて通信可能に接続されて構成されている。
【００４６】
画像送信装置１００は、原稿を光学的に読み取ってその複製画像を記録紙に印刷するコピージョブ、読み取った原稿の画像データをファイルにして保存したり、ネットワークを通じて外部端末へ送信したりするスキャンジョブ、ユーザー端末４００からＬＡＮ６００を通じて受信した印刷データに係る画像を記録紙上に形成して印刷出力するプリントジョブ、ファクシミリ送受信するＦＡＸジョブなどのジョブを実行する機能を備えた複合機（ＭＦＰ）である。
【００４７】
画像送信装置１００は、各種ジョブを設定するための操作表示部を有している。画像送信装置１００では、送信宛先などを文字入力で設定する場合にこの操作表示部を使用できるほか、使い勝手の良い外部装置のユーザＩ／Ｆ（Interface）を使用して文字入力することが可能になっている。本実施の形態では、文字入力に関するユーザＩ／Ｆの使い勝手の良さを表す指標を、操作部サイズ、とする。操作部サイズは、操作部と表示部をそれぞれ構成する物理的な大きさ等が考慮されて便宜的な数値で表示される。すなわち、操作部サイズは、表示部である画面サイズと文字入力操作を行う操作部の操作性を含めた指標として使用されるようになっている。
【００４８】
本実施の形態の画像送信装置１００では、操作表示部の画面上に表示されるソフトウエアキーボードを使用して文字入力を行うようになっているので、操作部サイズは、操作表示部の画面サイズによって決定される。また、本例では、原則として、液晶画面の横幅の全幅がソフトウエアキーボードの横幅になるものとする。なお、ソフトウエアキーボードを表示する場合の縦方向の幅は、画面サイズの横幅に応じて任意の比率で決定されるものとする。
【００４９】
このように画像送信装置１００の操作部サイズは液晶画面のサイズに依存するので、本実施の形態では、操作部サイズの単位として、液晶画面サイズを表す“型”を用いるものとする。なお、本実施の形態に係る画像送信装置１００の操作表示部の操作部サイズ（パネルサイズ）は、“５型”である。
【００５０】
端末装置などで文字入力用のユーザＩ／Ｆとしてハードウエアキーボードが使用される場合には、操作部サイズは、入力装置として使用されるキーボードのサイズに基づいて決定される。さらに、マウスやキーボードによって入力された文字が表示される領域のサイズなどから操作部サイズを決定してもよい。ここでは、ハードウエアキーボードなどについても、操作部サイズの単位を「型」に統一して表す。たとえば、ハードウエアキーボードの横幅が、画面サイズの場合の横幅に対応するものとして“型”に換算する。
【００５１】
画像送信装置２００、２１０は、外部装置を構成する画像送信装置である。画像送信装置２００、２１０もそれぞれ操作表示部を有しており、画像送信装置２００の操作表示部の操作部サイズは、“９型”であり、画像送信装置２１０の操作表示部の操作部サイズは、“７型”である。
【００５２】
管理サーバ３００は、ＬＡＮ６００を介して管理サーバ３００と通信可能な外部装置の情報（以下、これを外部装置情報ともいう。）を有している。この外部装置情報には、管理サーバ３００と通信可能な外部装置の各種情報とその装置の操作部サイズが記載されている。管理サーバ３００は、画像送信装置１００から外部装置情報の要求を受け付けると、外部装置情報を画像送信装置１００に送信する。なお、管理サーバ３００は、予め自装置に登録されている外部装置情報を画像送信装置１００に送信してもよく、また管理サーバ３００が通信可能な外部装置をリアルタイムに接続を確認し、画像送信装置１００からの要求に応じて更新される外部装置情報を画像送信装置１００に送信してもよい。
【００５３】
ユーザー端末４００は、ユーザが通常自席で使用している情報処理装置である。ユーザー端末４００は表示部を有しており、その操作部サイズは、“１７型”である。また、ユーザー端末４００は、操作部としてハードウエアキーボードを有している。なお、ユーザー端末４００が有するハードウエアキーボードは、ＪＩＳ（Japanese industrial standards）キーボードである。
【００５４】
リモートＵＩ端末５００は、ＬＡＮ６００を介して画像送信装置１００と通信可能な携帯型情報処理端末である。リモートＵＩ端末５００は、操作表示部を有しており、リモートＵＩ端末５００の操作表示部の操作部サイズは、“７型”とする。しかしながら、リモートＵＩ端末５００の操作表示部には、表示画面上にソフトウエアキーボードだけでなく複数のアイコンも同時に表示され、操作表示部の全幅がキーボードの横幅とならない。そのため、リモートＵＩ端末５００の操作表示部は、ソフトウエアキーボードの操作部サイズを“約４型”とする。
【００５５】
＜ネットワークシステム５の全体動作の概略説明＞
本実施の形態に係る画像送信装置１００は、自装置が有する画像読取部でスキャンジョブを実行するために画像データを読み取り、その読み取った画像データをＥ−ｍａｉｌ（電子メール：Electronic-mail）で外部装置に送信する（いわゆるScan to E-mailである。）。読み取った画像データを送信する送信条件の設定は、自装置が有する操作表示部で設定することもできるが、自装置の操作表示部よりも大きい操作表示部を有する外部装置を使用して行うことができる。
【００５６】
具体的にはたとえば、画像送信装置１００の操作表示部の操作部サイズが５型であるため、画像送信装置１００は、操作部サイズが１７型でＪＩＳキーボードを有するユーザー端末４００、操作部サイズが９型の操作表示部を有する画像送信装置２００、または操作部サイズが７型の操作表示部を有する画像送信装置２１０から、ユーザによる任意の外部装置の選択を受け付ける。
【００５７】
画像送信装置１００は、送信条件の設定操作をユーザから受け付け中に、文字入力する項目の設定操作を行わせる装置をユーザに選択させる。ユーザが外部装置を選択すると、画像送信装置１００は、選択された外部装置でユーザに文字入力させる項目の設定操作を行わせ、その外部装置において文字入力により設定された送信条件と、自装置の操作表示部で設定された送信条件とに基づいて送信ジョブを生成する。そして、画像送信装置１００は、生成された送信ジョブにより画像データを送信する。なお、選択された外部装置において文字入力により設定される送信条件には、送信宛先を含むものとする。
【００５８】
なお、画像送信装置１００は、外部装置をユーザに選択させるだけでなく、プリンタドライバを用いて所定の外部装置に送信宛先を設定させ、その設定された送信宛先に画像データを送信する機能も備えている。
【００５９】
また、本実施の形態では、外部装置による操作表示部の選択処理を第１の送信設定とし、プリンタドライバを用いた送信宛先を設定する処理を第２の送信設定と定義する。また、第２の送信設定は、プリンタドライバ設定情報に送信宛先を事前に登録する第２の送信設定Ａと、画像送信装置１００からプリンタドライバを起動して送信宛先を入力させる第２の送信宛先Ｂとを含んでいる。
【００６０】
＜画像送信装置１００の概略構成＞
図２は、画像送信装置１００の概略構成を示している。画像送信装置１００は、当該画像送信装置１００の動作を統括制御するＣＰＵ（Central Processing Unit）１０と、画像処理部２０と、不揮発メモリ３０と、ファクシミリ通信部４０と、ネットワーク通信部５０と、ＨＤＤ（Hard Disk Drive：記憶部）６０と、サイズ情報取得部７０と、ＲＯＭ（Read Only Memory）８０と、ＲＡＭ（Random Access Memory）９０と、ユーザ認証部１１０と、プリンタ部１２０と、画像読取部１３０と、操作表示部１４０とを備えている。ＣＰＵ１０は、内部バス１５０を介して、全ての構成要素と接続されている。
【００６１】
ＣＰＵ１０は、画像処理部２０、ファクシミリ通信部４０、ネットワーク通信部５０、プリンタ部１２０、画像読取部１３０、操作表示部１４０などを必要に応じて使用して各種ジョブの実行を制御する。たとえば、操作表示部１４０において設定されたスキャンジョブに関する画像の読み取りを画像読取部１３０に行わせるように制御する。
【００６２】
ＲＯＭ８０には、各種のプログラムが格納されており、これらのプログラムに従ってＣＰＵ１０が処理を実行することで、ジョブの実行など画像送信装置１００の各機能が実現される。ＲＡＭ９０は、ＣＰＵ１０がプログラムを実行する際に、各種のデータを一時的に格納するワークメモリや画像データを格納する画像メモリなどとして使用される。
【００６３】
不揮発メモリ３０は、電源がオフされても記憶内容が破壊されないメモリ（フラッシュメモリ）である。不揮発メモリ３０には、Ｅ−ｍａｉｌを送信する際のアドレス帳が格納されている。ＨＤＤ６０は、大容量不揮発の記憶装置であり、たとえば、ジョブデータや画像データの保存に使用される。
【００６４】
画像処理部２０は、画像の拡大縮小、回転などの処理のほか、印刷データをイメージデータに変換するラスタライズ処理、画像データの圧縮、伸張処理などを行う。
【００６５】
ファクシミリ通信部４０は、ファクシミリ送信および受信に係る動作を制御する。ネットワーク通信部５０は、ＬＡＮ６００を通じてその他の外部装置と各種のデータを送受信する機能を果たす。
【００６６】
プリンタ部１２０は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００６７】
操作表示部１４０は、表示部と操作部を備えて構成される。表示部は、液晶ディスプレイなどで構成され、各種の操作画面、設定画面などを表示する機能を果たす。操作部は、ユーザからジョブの投入や設定など各種の操作を受け付ける機能を果たす。操作部は、表示部の画面上に設けられて押下された座標位置を検出するタッチパネルのほか、テンキーやスタートキーなどを備えて構成される。なお、本実施の形態では、文字情報を入力するための文字入力キーが表示部上に表示され、文字を押下操作することによりその文字入力を実施することができる。
【００６８】
画像読取部１３０は、原稿を光学的に読み取って画像データを取得する機能を果たす。画像読取部１３０は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００６９】
サイズ情報取得部７０は、管理サーバ３００に接続されている複数の外部装置（たとえば、画像送信装置２００やユーザー端末４００など）の操作表示部の操作部サイズ（操作部のサイズ）を、ネットワーク通信部５０を介して管理サーバ３００から取得するようになっている。
【００７０】
ユーザ認証部１１０は、画像送信装置１００にログインするユーザを認証する認証処理部である。ユーザ認証部１１０は、操作表示部１４０から入力されるユーザＩＤ（Identification）やパスワードなどの入力情報に基づいてユーザ認証を行う。たとえば、予め不揮発メモリ３０にユーザごとの設定情報（これをユーザ情報ともいう。）を記憶した管理テーブルを格納しておき、ユーザ認証を行う際、ユーザ認証部１１０は、不揮発メモリ３０に格納された管理テーブルからユーザ情報を読み出して、操作表示部１４０から入力されたユーザＩＤとパスワードが一致するか否かを判定する。ユーザ認証部１１０は、ユーザを特定することができた場合には、認証成功と判定し、そのユーザをログインユーザとして画像送信装置１００をログイン状態に移行させる。
【００７１】
本実施の形態では、操作表示部１４０を用いて送信条件の設定操作中に、送信宛先を文字入力によって設定する場合、ＣＰＵ１０は、その送信宛先を操作表示部１４０で設定するか、外部装置で設定するかの選択を受け付ける。ＣＰＵ１０は、操作表示部１４０で送信宛先を設定する選択を受け付けた場合は、操作表示部１４０でユーザに文字入力を行わせて送信宛先の設定を受け付け、外部装置で送信宛先を設定する選択を受け付けた場合は、選択された外部装置でユーザに文字入力を行わせて送信宛先の設定を受け付ける。
【００７２】
図３は、不揮発メモリ３０に格納されている管理テーブル７００である。図３に示す管理テーブル７００には、ユーザ名の欄と、パスワードの欄と、ＩＰアドレスの欄と、ホスト名の欄が記載されている。ユーザ名は、画像送信装置１００を使用するユーザが、管理テーブルに登録された状態を示す名前である。なお、ここでは、ユーザ名は、ユーザＩＤとして利用することもできる。パスワードは、ユーザ名に対応した固有の符号列である。ＩＰアドレスは、コンピュータを識別するために各コンピュータに割り当てられた３２ビットの数字列（識別番号）である。ホスト名は、ネットワークに接続されたコンピュータを、人間が識別しやすいようにつけた名前である。図３に示す管理テーブル７００は、ユーザ名が、「Ｙａｍａｄａ−ｔａｒｏｕ」であり、パスワードが「＊＊＊＊＊」であり、ＩＰアドレスが「１０．１２．１３．１４」であり、ホスト名が「ａｂｃ」となっている。
【００７３】
図４は、不揮発メモリ３０に格納されている管理サーバ情報７１０である。図４に示す管理サーバ情報７１０には、管理サーバのホスト名の欄と、ＩＰアドレスの欄が記載されている。それぞれの欄は、図３で示した同一の欄と同一の意味を有しているため説明を省略する。図４に示す管理サーバ情報７１０は、ホスト名が「ｋａｎｒｉ−１」であり、ＩＰアドレスが「１０．２２．２３．２４」となっている。
【００７４】
図５は、管理サーバ３００に登録されている外部装置情報７２０である。図５に示す外部装置情報７２０には、外部機器名の欄と、操作部サイズの欄と、ＩＰアドレスの欄と、ホスト名の欄が記載されている。図３と同一の欄は、同一の意味を有しているため説明を省略する。外部機器名の欄には、管理サーバ３００と通信することができる外部装置の識別名が記載されている。操作部サイズの欄には、各外部機器に設けられた操作表示部の操作部サイズ（型）が記載されている。外部機器名が「ユーザ端末４００」は、操作部サイズが「１７型」であり、ＩＰアドレスが「１０．１２．１３．１４」であり、ホスト名が「ａｂｃ」である。外部機器名が「画像送信装置２００」は、操作部サイズが「９型」であり、ＩＰアドレスが「１０．１２．１３．１５」であり、ホスト名が「ｇａｚｏｕ−３０」である。外部機器名が「画像送信装置２１０」は、操作部サイズが「７型」であり、ＩＰアドレスが「１０．１２．１３．１６」であり、ホスト名が「ｇａｚｏｕ−４０」である。
【００７５】
なお、ユーザが通常使用する外部機器が固定の場合には、画像送信装置１００は、この外部装置情報７２０を不揮発メモリ３０に格納しておき、ユーザが外部機器を用いて送信宛先を設定する場合は、外部装置情報７２０の外部機器名からユーザー端末４００を自動的に選択する構成にしてもよい。
【００７６】
次に、画像送信装置１００が原稿を読み取って、読み取ったその画像データを外部装置に送信する動作について説明する。
【００７７】
＜画像送信装置１００の動作説明＞
図６から図９は、画像読取部１３０で原稿を読み取って、読み取ったその画像データを外部装置に送信する画像送信装置１００の動作を示した流れ図である。なお、図６は、一般的な動作を示した流れ図である。
【００７８】
＜一般的な動作＞
ユーザは、画像送信装置１００のところに行き、画像送信装置１００にてユーザ認証を実施する（ステップＳ１０１）。ユーザ認証は、ユーザ名（ユーザＩＤ）とパスワードを入力する形態であってもよく、社員証によるユーザ認証や指紋認証などであってもよい。
【００７９】
ユーザ認証に成功すると、ユーザは、原稿を画像送信装置１００の画像読取部１３０に載せる。ＣＰＵ１０は、その原稿の画像データを送信する送信宛先が、不揮発メモリ３０のアドレス帳に登録されているか否かを判断し、アドレス帳に画像データを送信する送信宛先が登録されていない場合は（ステップＳ１０２；Ｙｅｓ）、送信宛先を直接入力するためのソフトウエアキーボードとソフトウエアテンキーを操作表示部１４０上に表示する。アドレス帳に画像データを送信する送信宛先が登録されている場合は（ステップＳ１０２；Ｎｏ）、ステップＳ１０７へ移行する。
【００８０】
図１１は、不揮発メモリ３０のアドレス帳に送信宛先が登録されていない場合に、送信宛先を直接入力する場合の表示画面である。図１１（Ａ）では、ソフトウエアキーボードとソフトウエアテンキーから構成された文字入力するための画面が操作表示部１４０上に表示されている。図１１（Ｂ）では、送信宛先のキー入力を受け付けたタイミングで表示されたソフトウエアキーボードとソフトウエアテンキーが表示されている。ユーザは、操作表示部１４０に表示されたソフトウエアキーボードとソフトウエアテンキーを用いて、送信宛先を入力することができる。
【００８１】
ＣＰＵ１０は、送信宛先に関する設定画面を操作表示部１４０に表示し（ステップＳ１０３；Ｙｅｓ）、送信宛先の入力に関し、操作表示部１４０により送信宛先を入力するか、外部装置の操作表示部により送信宛先を入力するかの選択画面を表示する（ステップＳ１０４）。
【００８２】
図１２は、送信宛先を外部装置で入力するか、自装置の操作表示部１４０で入力するかをユーザに確認する場合の表示画面である。外部装置から送信宛先を入力する場合は、ユーザは、図１２に示された「ＹＥＳ」ボタンを押下操作する。画像送信装置１００の操作表示部１４０から送信宛先を入力する場合は、ユーザは、図１２に示された「ＮＯ」ボタンを押下操作する。
【００８３】
ＣＰＵ１０は、ユーザの選択を待ち受けており、画像送信装置１００の操作表示部１４０から送信宛先を入力する場合は、ユーザにより「ＮＯ」ボタンが押下操作される。ＣＰＵ１０は、ユーザによる「ＮＯ」ボタンの押下操作を検出すると（ステップＳ１０５；Ｎｏ）、ユーザから操作表示部１４０を用いて送信宛先である宛先情報を受け付ける。ＣＰＵ１０は、操作表示部１４０から送信宛先である宛先情報の入力が完了したことを検出すると（ステップＳ１０６；Ｙｅｓ）、続いて、送信宛先以外の送信条件の設定操作を行う（ステップＳ１０７）。
【００８４】
ＣＰＵ１０は、ユーザによる送信条件の設定操作が全部完了すると（ステップＳ１０８；Ｙｅｓ）、画像読取部１３０で原稿を読み込ませて画像データを生成し（ステップＳ１０９）、生成した画像データと、設定した送信条件とを結合し、送信ジョブを生成する（ステップＳ１１０）。
【００８５】
ＣＰＵ１０は、図１２に示された「ＹＥＳ」ボタンの押下操作を検出した場合は（ステップＳ１０５；Ｙｅｓ）、図７に示す結合子Ａへ続く。なお、図７は、送信宛先を設定する外部装置を選択する動作を示した流れ図である。
【００８６】
ＣＰＵ１０は、外部装置で送信宛先を設定することが選択された押下操作を検出すると、不揮発メモリ３０に格納されている管理テーブル７００を参照して、現在認証されているユーザのユーザー端末４００のＩＰアドレスおよびホスト名を参照する（ステップＳ１１１）。ＣＰＵ１０は、参照したユーザー端末４００に、プリンタドライバ設定情報要求を送信する（ステップＳ１１２）。
【００８７】
ＣＰＵ１０は、現在認証しているユーザのユーザー端末４００から、プリンタドライバ設定情報を受信するまで待ち受ける（ステップＳ１１３）。ＣＰＵ１０は、プリンタドライバ設定情報要求を受信すると（ステップＳ１１３；Ｙｅｓ）、受信したプリンタドライバ設定情報に宛先情報が登録されているか否かを判断し（ステップＳ１１４）、宛先情報が登録されている場合は（ステップＳ１１４；Ｙｅｓ）、図９の結合子Ｂへ進む。
【００８８】
図１３は、プリンタドライバ設定情報に送信宛先を事前に登録する場合の表示画面である。ユーザは、ユーザー端末４００を用いて、プリンタドライバ設定情報に送信宛先を事前に、すなわち、ユーザが画像送信装置１００に出向いて送信条件の設定操作を開始する前に、登録しておくことができる（第２の送信設定Ａ）。
【００８９】
＜第１の送信設定＞
受信したプリンタドライバ設定情報に宛先情報が登録されていない場合は（ステップＳ１１４；Ｎｏ）、文字入力が可能な外部装置を検索するため、不揮発メモリ３０に格納された管理サーバー情報７１０を参照し、管理サーバ３００のＩＰアドレスとホスト名を取得する（ステップＳ１１５）。
【００９０】
ＣＰＵ１０は、その取得したＩＰアドレスとホスト名を基に、管理サーバ３００に外部装置情報７２０の要求を送信する（ステップＳ１１６）。ＣＰＵ１０は、管理サーバ３００から外部装置情報７２０を受信するまで待ち受けており、外部装置情報７２０を受信した場合は（ステップＳ１１７；Ｙｅｓ）、その外部装置情報７２０に記載されている操作部サイズと画像送信装置１００の操作表示部１４０の操作部サイズとを比較し、操作部サイズが画像送信装置１００の操作表示部１４０よりも大きい外部装置を抽出する（ステップＳ１１８）。
【００９１】
ＣＰＵ１０は、操作表示部１４０より操作部サイズが大きい外部装置の一覧を操作表示部１４０に表示して、送信宛先を入力するための外部装置を選択する選択画面を表示する（ステップＳ１１９）。
【００９２】
図１４は、抽出された外部装置の一覧から１つの外部装置を選択する選択画面を示している。図１４に示す選択画面には、ユーザー端末４００と、リモートＵＩ端末５００と、画像送信装置２００の外部装置が表示されており、送信宛先の入力を行う外部装置を１つ選択するようになっている。なお、リモートＵＩ端末５００の操作表示部は、画像送信装置１００の操作表示部１４０よりも操作部サイズが小さいため、選択できないようになっている。
【００９３】
ＣＰＵ１０は、操作表示部１４０上において、送信宛先を入力する外部装置が１つ選択されたか否かを判断しており（ステップＳ１２０）、１つの外部装置が選択された場合は（ステップＳ１２０；Ｙｅｓ）、操作中の操作表示部１４０を用いて、送信宛先以外の送信条件の設定操作をユーザから受け付ける（ステップＳ１２１）。送信宛先以外の送信条件の設定操作が完了した場合は（ステップＳ１２２；Ｙｅｓ）、図８の結合子Ｃへ移行する。なお、本実施の形態はこれに限定されるものではなく、ステップＳ１２０において外部装置が選択された後、以降の送信条件の設定操作は選択された外部装置で全て行うようにしてもよい。
【００９４】
ＣＰＵ１０は、送信宛先以外の設定が完了しているので、画像読取部１３０を用いて原稿の画像を読み込む（ステップＳ１２３）。ＣＰＵ１０は、読み込んだ画像から画像データを生成し、その画像データからサムネイル画像を生成する（ステップＳ１２４）。また、ＣＰＵ１０は、生成した画像データと、操作表示部１４０で設定操作された送信条件とを関連付けて不揮発メモリ３０に保存する。
【００９５】
ＣＰＵ１０は、ユーザによって選択された外部装置を判別しており（ステップＳ１２５）、選択された外部装置が画像送信装置２００の場合は（ステップＳ１２５；Ｙｅｓ）、その選択された画像送信装置２００のＩＰアドレスに宛先入力要求を送信する（ステップＳ１２６）。なお、ＣＰＵ１０は、その選択された画像送信装置２００にユーザＩＤも同時に送信し、送信宛先を入力する際にユーザ認証を行わせる。
【００９６】
＜第２の送信設定Ａ＞
ＣＰＵ１０は、ユーザー端末４００の操作部で送信宛先の入力をユーザから受け付ける場合は（ステップＳ１２５；Ｎｏ）、選択されたユーザー端末４００にプリンタドライバの起動要求を送信する（ステップＳ１２７）。なお、ユーザ端末４００にプリンタドライバを監視する常駐プログラムがインストールされていれば、ＣＰＵ１０は、ユーザ端末４００を直接起動させることもできるが、本実施の形態では該当する常駐プログラムはインストールされておらず、ユーザがユーザ端末４００に戻り、ログインした後に、プリンタドライバを起動させるようになっている。
【００９７】
ＣＰＵ１０は、図７のステップＳ１２０で選択された外部装置に、サムネイル画像を送信する（ステップＳ１２８）。ユーザは、この時点で、選択された外部装置に移動し、その選択された外部装置においてユーザー認証などを行い、送信されたサムネイル画像を確認する。
【００９８】
図１５は、ステップＳ１２８において、画像送信装置２００の操作表示部にサムネイル画像が表示された状態を示す表示画面である。画像送信装置２００の操作表示部には、画像送信装置１００で読み込んだ画像データのサムネイル画像が表示されている。ユーザは、画像送信装置２００においてユーザー認証に成功すると、このサムネイル画像を確認しながら、画像送信装置２００の操作表示部から送信宛先を入力する。
【００９９】
図１６は、ステップＳ１２８において、ユーザー端末４００の表示部にサムネイル画像が表示された状態を示す表示画面である。ユーザは、自席に戻ってログインに成功すると、ユーザー端末４００の表示部に、画像送信装置１００で読み込んだ画像データのサムネイル画像が表示される。ユーザは、このサムネイル画像を確認しながら、ユーザー端末４００の操作部から送信宛先を入力する。
【０１００】
ＣＰＵ１０は、図７のステップＳ１２０で選択された外部装置から送信宛先を待ち受けており、選択された外部装置から送信宛先を受信した場合は（ステップＳ１２９；Ｙｅｓ）、画像送信装置１００のアドレス帳に登録するか否かの選択画面を、その外部装置の操作表示部に表示する（ステップＳ１３０）。
【０１０１】
図１７は、ユーザー端末４００の表示部に表示された送信宛先を、画像送信装置１００に登録するか否かをユーザに確認する際の表示画面である。図１７に示す宛先情報は、ユーザー端末４００から画像送信装置１００に送信した送信宛先である。
【０１０２】
ＣＰＵ１０は、選択された外部装置から、その送信宛先を登録する旨を受信した場合は（ステップＳ１３１；Ｙｅｓ）、その送信宛先を不揮発メモリ３０のアドレス帳に保存（登録）する（ステップＳ１３２）。ＣＰＵ１０は、画像読取部１３０に読み込ませた画像データと受信した送信宛先とを結合して送信ジョブを生成し、その画像データを受信した送信宛先（宛先情報）へ送信する。また、アドレス帳に保存しない場合であっても（ステップＳ１３１；Ｎｏ）、ＣＰＵ１０は、その画像データを受信した送信宛先へ送信する（ステップＳ１３３）。
【０１０３】
次に、図７のステップＳ１１４において、プリンタドライバ設定情報に宛先情報（送信宛先）が登録されていた場合は（ステップＳ１４４；Ｙｅｓ）、図９のステップＳ１５０へ進む。
【０１０４】
＜第２の送信設定Ｂ＞
ＣＰＵ１０は、画像送信装置１００において、送信宛先以外の送信条件の設定操作をユーザから受け付ける（ステップＳ１５０）。ＣＰＵ１０は、送信に関する全ての送信条件の設定操作が完了したか否かを判別し（ステップＳ１５１）、全ての送信条件の設定操作が完了した場合は（ステップＳ１５１；Ｙｅｓ）、画像読取部１３０に原稿を読み込ませる（ステップＳ１５２）。
【０１０５】
ＣＰＵ１０は、図１３に示したプリンタドライバ設定情報から受信した送信宛先を、アドレス帳に登録するか否かを選択する選択画面を操作表示部１４０に表示する（ステップＳ１５３）。
【０１０６】
図１８は、画像送信装置１００がプリンタドライバ設定情報から受信した送信宛先（宛先情報）を、画像送信装置１００に登録するか否かを確認する表示画面である。図１８に示す宛先情報は、現在認証しているユーザのユーザー端末４００から画像送信装置１００に送信されたプリンタドライバ設定情報に登録されていた送信宛先である。
【０１０７】
ＣＰＵ１０は、ユーザー端末４００のプリンタドライバ設定情報から受信した送信宛先を登録する場合は（ステップＳ１５４；Ｙｅｓ）、その宛先情報を不揮発メモリ３０のアドレス帳に保存（登録）する（ステップＳ１５５）。ＣＰＵ１０は、ステップＳ１５２で画像読取部１３０に読み込ませた画像データと、受信した送信宛先とを結合して送信ジョブを生成し、その画像データを送信宛先に送信する。なお、アドレス帳に送信宛先を登録しない場合でも（ステップＳ１５４；Ｎｏ）、ＣＰＵ１０は、ステップＳ１５２で画像読取部１３０に読み込ませた画像データと、受信した送信宛先とを結合して送信ジョブを生成し、その画像データを送信宛先に送信する（ステップＳ１５６）。
【０１０８】
上述した第２の送信設定Ｂでは、ユーザー端末４００のプリンタドライバ設定情報に送信宛先が登録されていたが、第２の送信設定Ａでは、ステップＳ１２７でユーザー端末４００のプリンタドライバを起動するようになっていた。
【０１０９】
次に、第２の送信設定Ａにおけるユーザー端末４００の動作について説明する。
【０１１０】
＜ユーザー端末４００の動作説明＞
図１０は、ユーザー端末４００のプリンタドライバを使用して、画像送信装置１００に送信宛先を入力する場合の流れ図である。ユーザー端末４００は、画像送信装置１００から宛先情報（送信宛先）を含んだプリンタドライバ設定情報の設定要求を受信した場合は（ステップＳ２０１；Ｙｅｓ）、プリンタドライバの設定画面をユーザー端末４００の表示部に表示する（ステップＳ２０２）。ユーザー端末４００の制御部は、ユーザによって設定される設定操作を受け付ける。
【０１１１】
ユーザー端末４００は、宛先情報を含んだ設定操作をユーザから全て受け付けて完了した場合は（ステップＳ２０３；Ｙｅｓ）、宛先情報を含んだ設定操作のプリンタドライバ設定情報を画像送信装置１００へ送信する（ステップＳ２０４）。ユーザー端末４００は、プリンタドライバの設定画面を表示部から非表示にする（ステップＳ２０５）。
【０１１２】
次に、本実施の形態に係るネットワークシステム５の実施例について説明する。まず第１の実施例として、原稿の画像を読み取る読み取り設定を先に行い、送信宛先を外部装置で後から設定する選択を行った後、スキャンジョブを開始する場合について説明する。
【０１１３】
＜第１の実施例＞
図１９は、画像送信装置１００とユーザー端末４００との処理の流れを示す第１の実施例のシーケンス図である。なお、図１９において、破線の左側が画像送信装置１００の処理（タスク）であり、破線の右側がユーザー端末４００の処理（プログラム）である。また、各タスクやプログラムは、それぞれＲＯＭやＲＡＭなどに格納されており、各機能を実行するための要素を構成する。
【０１１４】
パネルタスクは、ユーザによる操作表示部１４０の操作を監視しており、ユーザがスキャンジョブを実行するスキャン実行ボタンの押下操作を検出する（Ｐ１０１）。パネルタスクは、スキャン実行ボタンを検出するとスキャンジョブタスクを起動させ、スキャンジョブの処理を指示する（Ｐ１０２）。スキャンジョブタスクは起動すると、指示に従ってスキャンジョブを実行する（Ｐ１０３）。
【０１１５】
スキャンジョブタスクは、スキャンジョブの処理が完了すると、パネルタスクにスキャンジョブが終了した旨を通知して、待機状態となる（Ｐ１０４）。パネルタスクは、スキャンジョブタスクによって送信宛先のない特定スキャンの終了を検知する（Ｐ１０５）。パネルタスクは、スキャンジョブを完了させるために必要なユーザ入力データ（すなわち送信宛先）を、ネットワーク（ネットスタックタスク）を介して、ユーザー端末４００に要求を発行する（Ｐ１０６）。
【０１１６】
ネットワーク処理を行うユーザー端末４００のドライバプログラム（アプリケーション）は、ユーザ入力データ（送信宛先）の要求を受信する（Ｐ１０７）。受信したドライバプログラムは、ユーザ入力を促すための入力画面を表示するアプリケーションプログラムを起動する（Ｐ１０８）。ユーザー端末４００において、入力画面からユーザによって入力されるスキャンジョブを完結するために必要なデータの入力を受け付ける（Ｐ１０９）。
【０１１７】
ユーザ入力を促す画面を表示しているアプリケーションは、ドライバプログラムを介して（Ｐ１１０）、ユーザ入力データ（送信宛先）を、応答通信で画像送信装置１００に応答する（Ｐ１１１）。
【０１１８】
パネルタスクは、ネットスタックタスクを介して、処理結果の応答通知を受信する（Ｐ１１２）。パネルタスクは、ユーザ入力データ（送信宛先）を受信し、受信したデータを解析する（Ｐ１１３）。パネルタスクは、ユーザ入力データ（送信宛先）をスキャンジョブタスクに渡し、待機中のスキャンジョブを再開させる（Ｐ１１４）。スキャンジョブタスクは、残りの処理（Ｓｃａｎ  ｔｏ  Ｅ−ｍａｉｌ：送信処理）を、ネットスタックタスクに実行させる（Ｐ１１５）。
【０１１９】
ネットスタックタスクは、送信処理（Ｓｃａｎ ｔｏ Ｅ−ｍａｉｌ）を実行する（Ｐ１１６）。ネットスタックタスクは、送信処理が完了すると、スキャンジョブタスクに処理完了を通知する（Ｐ１１７）。スキャンジョブタスクは、送信処理が完了した通知をネットスタックタスクから受けると、その送信処理が完了した通知をパネルタスクに通知する（Ｐ１１８）。
【０１２０】
このように、第１の実施例では、画像送信装置１００は、ユーザー端末４００に送信宛先の入力を要求し、ユーザがユーザー端末４００から送信宛先を応答することができるので、ユーザは、画像送信装置１００の操作表示部１４０よりも大きいキーボードであって、かつ使い慣れた入力装置を用いて送信宛先の入力操作をすることができる。
【０１２１】
次に、第２の実施例として、画像送信装置１００のＷｅｂサーバを介して、待機状態のスキャンジョブの情報を外部装置で取得し、取得したスキャンジョブの情報に対して送信宛先をその外部装置で後から設定する場合について説明する。
【０１２２】
＜第２の実施例＞
図２０は、画像送信装置１００とユーザー端末４００との処理の流れを示す第２の実施例のシーケンス図である。第２の実施例では、Ｗｅｂブラウザを介して、ユーザー端末４００から画像送信装置１００の確認や設定を行っている。なお、図２０におけるＰ２０１〜Ｐ２０５は、第１の実施例で説明した図１９のＰ１０１〜Ｐ１０５と同じ動作である。また、図２０におけるＰ２２１〜Ｐ２２６は、第１の実施例で説明した図１９のＰ１１３〜Ｐ１１８と同じ動作である。第１の実施例と同じ動作については、ここでは説明を省略する。
【０１２３】
パネルタスクは、Ｐ２０５においてスキャンジョブタスクによって送信宛先のない特定スキャンの終了を検知すると、スキャンジョブが待機状態のまま保存された旨を、パネル（たとえば操作表示部１４０）に表示を行う（Ｐ２０６）。
【０１２４】
ユーザは、ユーザー端末４００を操作して画像送信装置１００のＰＳＷＣ（Page Scope Web Connection）に接続（アクセス）し、画像送信装置１００の待機中のスキャンジョブ一覧の表示を要求する（Ｐ２０７）。ここで、ＰＳＷＣとは、Ｗｅｂブラウザを介してＷｅｂサーバにアクセスすることにより、Ｗｅｂページで画像送信装置１００のシステム情報やステータスの確認、ネットワーク設定などを行うことができるユーティリティーである。
【０１２５】
ユーザー端末４００は、Ｗｅｂサーバを介して、ネットスタックタスクに、画像送信装置１００で待機状態のスキャンジョブ一覧表の表示画面を要求する（Ｐ２０８）。ネットスタックタスクは、パネルタスクに、画像送信装置１００で待機状態のスキャンジョブ一覧表の表示画面を要求する（Ｐ２０９）。
【０１２６】
パネルタスクは、ネットスタックタスクに、待機状態のスキャンジョブ一覧表の表示画面を応答する（Ｐ２１０）。ネットスタックタスクは、Ｗｅｂサーバを介してユーザー端末４００のＷｅｂブラウザに、画像送信装置１００で待機状態のスキャンジョブ一覧表の表示画面を応答する（Ｐ２１１）。ユーザは、ユーザー端末４００の操作表示部を操作して、スキャンジョブの一覧表示から１つのスキャンジョブを選択する（Ｐ２１２）。
【０１２７】
ユーザー端末４００は、Ｗｅｂサーバを介してネットスタックタスクに、ユーザによって選択された１つのスキャンジョブについて詳細情報の表示を要求する（Ｐ２１３）。ネットスタックタスクは、パネルタスクに、ユーザによって選択された１つのスキャンジョブについて詳細情報の表示を要求する（Ｐ２１４）。
【０１２８】
パネルタスクは、ネットスタックタスクに、選択されたスキャンジョブの詳細情報の表示について応答する（Ｐ２１５）。ネットスタックタスクは、Ｗｅｂサーバを介してユーザー端末４００のＷｅｂブラウザに、選択されたスキャンジョブの詳細情報の表示について応答する（Ｐ２１６）。ユーザは、ユーザー端末４００の操作表示部を操作して、選択したスキャンジョブの詳細表示画面から必要項目（送信宛先）を入力または変更してスキャンジョブの再開を指示する（Ｐ２１７）。
【０１２９】
ユーザー端末４００は、Ｗｅｂサーバを介してネットスタックタスクに、スキャンジョブのデータ項目設定とスキャンジョブの再開を要求する（Ｐ２１８）。ネットスタックタスクは、Ｗｅｂサーバを介して、ユーザー端末４００から受け付けたデータ項目設定とスキャンジョブの再開について、肯定応答（Acknowledge）を返答する（Ｐ２１９）。また、ネットスタックタスクは、パネルタスクに、待機状態のスキャンジョブに送信宛先（データ）が設定された旨の通知を行う（Ｐ２２０）。
【０１３０】
このように、第２の実施例では、ユーザー端末４００は、画像送信装置１００のＰＳＷＣを介して、画像送信装置１００で待機状態のスキャンジョブ一覧の中から送信処理を行わせるスキャンジョブを選択するとともに、ユーザー端末４００から送信宛先を入力することができるので、ユーザは、使い慣れた入力装置を用いて画像送信装置１００のスキャンジョブの送信宛先を設定することができる。
【０１３１】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１３２】
たとえば、本実施の形態では、送信宛先の文字入力について外部装置で行っていたが、本実施の形態はこれに限らず、ＣＰＵ１０は、画像送信装置１００において未設定の項目があれば、その未設定の項目を選択された外部装置に通知し、その外部装置にて未設定の項目を設定し得るようにしてもよい。この場合、ＣＰＵ１０は、未設定の項目をプリンタドライバやＰＳＷＣを介して外部装置に通知して、使い勝手の良い外部装置のキーボードやマウスなどの操作部を用いて、送信宛先以外の送信条件も外部装置を用いてユーザから受け付けることができる。
【０１３３】
また、本実施の形態は、外部装置で設定する項目を送信宛先に限定するものではなく、送信する画像データのファイル形式、解像度、その他設定に必要な項目を、選択された外部装置の操作部で設定し得るようにしてもよい。また、外部装置から画像送信装置１００の送信宛先を設定するプログラム（ソフトウエア）は、プリンタドライバに限定されるものではなく、ユーティリティなどであってもよい。
【０１３４】
また、本実施の形態では、図１４において、外部装置の操作部サイズが、画像送信装置１００の操作表示部１４０の操作部サイズよりも大きい外部装置を抽出して、ユーザに外部装置を選択させるようになっていたが、本実施の形態はこれに限定されるものではない。たとえば、外部装置の画面サイズに代わる外部装置抽出法の１つとして、キーボードの入力の容易さを示す指標を予め登録しておき、その指標に基づいて自装置よりも文字入力が容易な外部装置を選別し、選別した外部装置が抽出される形態であってもよい。この場合、操作部の画面サイズやキーボードの大きさなど複数の要素の各々の使い易さを数値化すると共に、それらの操作性の容易さを示す総合的な指標を算出し、その算出した指標を不揮発メモリ３０などに登録する。ＣＰＵ１０は、その指標に基づいて文字入力が容易な外部装置を抽出する。また、ＣＰＵ１０は、操作部の画面サイズなど各要素の情報を外部装置ごとに操作表示部１４０に数値表示したり、これらを操作表示部１４０に一覧表示するようにしてもよい。
【０１３５】
また、図１４において、ＣＰＵ１０は、操作部サイズの大きさを外部装置ごとに操作表示部１４０に表示したり、操作部サイズの大きい順に操作表示部１４０に表示するようにしてもよい。
【０１３６】
また、外部装置の操作部サイズの大きさが画像送信装置１００の操作部サイズ以上の大きさを備えた外部装置が複数台存在する場合、ＣＰＵ１０は、ユーザが現在設定操作中の画像送信装置１００から近い順に外部装置を一覧表で表示するようにしてもよい。この場合、ユーザは、設定操作中の画像送信装置１００の近くにある外部装置を選択することができるので、送信宛先の設定操作の手間が軽減されるだけではなく、画像送信装置１００からの移動時間や移動の手間も軽減することができる。
【符号の説明】
【０１３７】
５…ネットワークシステム
１０…ＣＰＵ（制御部）
２０…画像処理部
３０…不揮発メモリ
４０…ファクシミリ通信部
５０…ネットワーク通信部
６０…ＨＤＤ（記憶部）
７０…サイズ情報取得部
８０…ＲＯＭ
９０…ＲＡＭ
１００…画像送信装置（ＭＦＰ）
１１０…ユーザ認証部
１２０…プリンタ部
１３０…画像読取部
１４０…操作表示部
１５０…内部バス
２００…画像送信装置
２１０…画像送信装置
３００…管理サーバ
４００…ユーザー端末
５００…リモートＵＩ端末
６００…ＬＡＮ
７００…管理テーブル
７１０…管理サーバー情報
７２０…外部装置情報
【図１】
2013005341.tif 000003
【図２】
2013005341.tif 000004
【図３】
2013005341.tif 000005
【図４】
2013005341.tif 000006
【図５】
2013005341.tif 000007
【図６】
2013005341.tif 000008
【図７】
2013005341.tif 000009
【図８】
2013005341.tif 000010
【図９】
2013005341.tif 000011
【図１０】
2013005341.tif 000012
【図１９】
2013005341.tif 000013
【図２０】
2013005341.tif 000014
【図１１】
2013005341.tif 000015
【図１２】
2013005341.tif 000016
【図１３】
2013005341.tif 000017
【図１４】
2013005341.tif 000018
【図１５】
2013005341.tif 000019
【図１６】
2013005341.tif 000020
【図１７】
2013005341.tif 000021
【図１８】
2013005341.tif 000022